(57)【特許請求の範囲】
【請求項１】
温度センサで計測された温度信号を一定周期でサンプリングした温度データに基づいて、前記一定周期より長い温度差検出周期で単位時間当たりの温度変化量を算出する温度変化量算出部と、
前記温度変化量算出部から出力された負の温度変化量の絶対値が所定値以上のとき、この絶対値が前記所定値未満の値となるように前記温度変化量が算出された時点における第一の温度を、前記温度変化量が算出された時点から前記温度差検出周期分前の時点に計測された温度に変更し、変更後の温度を第二の温度として出力する温度補正部と、
前記温度補正部からの第二の温度を検出する毎に、前記温度センサの異常発生回数を増加させるように変更し、前記第二の温度が検出された時点における前記温度データと変更された異常発生回数とを対応付けた異常履歴を記録する異常履歴記録部と、
前記温度補正部からの第二の温度を検出しているときには圧縮機を含む機器群の駆動を継続させる駆動制御部と、
を備えたことを特徴とするヒートポンプ給湯機の制御装置。
【請求項２】
前記温度補正部は、
前記所定値を第一の所定値として、前記絶対値がこの第一の所定値以上、かつ、前記第一の所定値より大きい第二の所定値未満のときには前記第二の温度を生成して出力し、前記絶対値が第二の所定値以上のときには前記第一の温度を出力し、
前記異常履歴記録部は、
前記温度補正部からの第二の温度を検出する毎に、前記温度センサの異常発生回数を増加させるように変更して出力する第一の異常発生回数出力部と、
前記温度補正部からの第一の温度を検出する毎に、前記温度センサの異常発生回数を増加させるように変更して出力する第二の異常発生回数出力部と、
前記第一の異常発生回数出力部からの変更された異常発生回数と前記第二の温度が検出された時点における前記温度データとを対応付けた異常履歴データ、または、前記第二の異常発生回数出力部からの変更された異常発生回数と前記第一の温度が検出された時点における前記温度データとを対応付けた異常履歴データを生成して、記録部に記録させる温度履歴データ生成部と、
を有することを特徴とする請求項１に記載のヒートポンプ給湯機の制御装置。
【請求項３】
前記駆動制御部は、前記温度補正部からの第一の温度を検出したとき前記機器群の駆動を停止させることを特徴とする請求項１または２に記載のヒートポンプ給湯機の制御装置。
【請求項４】
前記第一の異常発生回数出力部からの異常発生回数が所定回数を超えているとき前記第一の温度と同等の温度を出力する温度出力部を備え、
前記駆動制御部は、この温度出力部からの温度を検出したとき前記機器群の駆動を停止させることを特徴とする請求項１〜３の何れか１つに記載のヒートポンプ給湯機の制御装置。
【発明の詳細な説明】
【技術分野】
【０００１】
本発明は、ヒートポンプ給湯機の制御装置に関するものである。
【背景技術】
【０００２】
ヒートポンプ給湯機には、圧縮機、送風機、および電磁弁等（以下「圧縮機等」）の駆動を制御すると共に、温度センサや圧力センサ等からの出力に基づいて異常の発生を検出したとき圧縮機等の駆動を停止させる制御装置が搭載されている。
【０００３】
例えば、下記特許文献１に代表される従来の制御装置は、温度センサによって計測された温度の単位時間当たりの変化量が所定の閾値を超えたとき、熱交換機の故障を検出するように構成されている。
【先行技術文献】
【特許文献】
【０００４】
【特許文献１】特開平８−３３９８８１号公報
【発明の概要】
【発明が解決しようとする課題】
【０００５】
しかしながら、上記特許文献１に代表される従来技術には以下の課題があった。従来の制御装置では、温度センサとしてサーミスタが一般的に用いられている。サーミスタは、計測対象の温度を測定するサーミスタ素子、サーミスタ素子を保護する充填樹脂、これらを覆う銅ケースなどで構成され、サーミスタ内部ではサーミスタ素子とリード線が半田付けにより接続されている。このように構成されたサーミスタにおいて、半田付け部に亀裂（以下「半田クラック」）が生じた状態でサーミスタの温度が高温となった場合、充填樹脂が膨張することによってリード線が引っ張られ、半田クラックが発生している部位における接触抵抗の値が数ｋΩまで大きくなり、または半田クラックが発生している部位がオープン状態となる。
【０００６】
従来技術の制御装置は、サーミスタで計測された温度（以下「計測温度」）を所定の閾値と比較することによって圧縮機等の運転を制御するように構成されているが、この閾値が小さい場合には、圧縮機等の異常が発生していないにも係わらず、例えば圧縮機等の保護制御動作などが停止されてしまう可能性があり、また閾値が大きい場合には、計測温度が相対的に低い値として検出されてしまい、計測温度を目標温度に近づけるために圧縮機等の回転数を上げる等の制御が行なわれ、これが過負荷運転となり、冷媒配管の高圧異常、圧縮機の過電流異常、圧縮機の脱調異常などの異常、すなわちサーミスタ異常に起因した二次的な機器異常が引き起こされる場合がある。このように、従来技術では、ヒートポンプ給湯機の運転制御を維持しながらサーミスタ異常を精度よく検出することが困難であった。
【０００７】
また、常温時のサーミスタでは半田付け部が充填樹脂で押さえ込まれているため、制御装置では半田クラックが発生していないとき（正常時）における計測温度と同等の温度が計測される。従って、高温時にはサーミスタ異常が検出されるものの、常温時にはサーミスタ異常を再現することができないため、サービス対応時にサーミスタ異常を判断することが難しく、サービス対応の効率化を図るというニーズに対応することができないという課題があった。
【０００８】
本発明は、上記に鑑みてなされたものであって、ヒートポンプ給湯機の運転制御を維持しながらサーミスタ異常を検出し、かつ、サービス対応の効率化を図ることが可能なヒートポンプ給湯機の制御装置を得ることを目的とする。
【課題を解決するための手段】
【０００９】
上述した課題を解決し、目的を達成するために、本発明は、温度センサで計測された温度信号を一定周期でサンプリングした温度データに基づいて、前記一定周期より長い温度差検出周期で単位時間当たりの温度変化量を算出する温度変化量算出部と、前記温度変化量算出部から出力された負の温度変化量の絶対値が所定値以上のとき、この絶対値が前記所定値未満の値となるように前記温度変化量が算出された時点における第一の温度を、前記温度変化量が算出された時点から前記温度差検出周期分前の時点に計測された温度に変更し、変更後の温度を第二の温度として出力する温度補正部と、前記温度補正部からの第二の温度を検出する毎に、前記温度センサの異常発生回数を増加させるように変更し、前記第二の温度が検出された時点における前記温度データと変更された異常発生回数とを対応付けた異常履歴を記録する異常履歴記録部と、前記温度補正部からの第二の温度を検出しているときには圧縮機を含む機器群の駆動を継続させる駆動制御部と、を備えたことを特徴とする。
【発明の効果】
【００１０】
この発明によれば、サーミスタで計測された低下傾向にある温度変化量の絶対値が所定値以上のときサーミスタ異常の履歴を残しつつヒートポンプ給湯機の運転制御を継続させるようにしたので、ヒートポンプ給湯機の運転制御を維持しながらサーミスタ異常を検出し、かつ、サービス対応の効率化を図ることができる、という効果を奏する。
【図面の簡単な説明】
【００１１】
【図１】図１は、本発明の実施の形態１にかかるヒートポンプ給湯機の制御装置の構成図である。
【図２】図２は、サーミスタの断面図である。
【図３】図３は、温度検出部および温度変化量算出部における動作を説明するための図である。
【図４】図４は、実施の形態１にかかるヒートポンプ給湯機の動作を説明するためのフローチャートである。
【図５】図５は、本発明の実施の形態２にかかるヒートポンプ給湯機の制御装置の構成図である。
【図６】図６は、実施の形態２にかかるヒートポンプ給湯機の動作を説明するためのフローチャートである。
【発明を実施するための形態】
【００１２】
以下に、本発明にかかるヒートポンプ給湯機の制御装置の実施の形態を図面に基づいて詳細に説明する。なお、この実施の形態によりこの発明が限定されるものではない。
【００１３】
実施の形態１．
図１は、本発明の実施の形態１にかかるヒートポンプ給湯機１００の制御装置１１０の構成図である。図２は、サーミスタ１の断面図であり、図３は、温度検出部３および温度変化量算出部４における動作を説明するための図であり、図４は、実施の形態１にかかるヒートポンプ給湯機１００の動作を説明するためのフローチャートである。
【００１４】
図１には、ヒートポンプ給湯機１００を構成する制御装置１１０と、例えば圧縮機１４の冷媒吐出側における温度を計測し計測に係る信号１ａを制御装置１１０へ出力するサーミスタ１と、圧縮機１４の冷媒吐出側における圧力を計測し計測に係る信号３ａを制御装置１へ出力する圧力センサ３と、圧縮機１４および送風機１５などが示されている。なお、図１には、説明を簡単化するため、ヒートポンプ給湯機１００の負荷設備として圧縮機１４および送風機１５のみ示されているが制御装置１１０には例えば電磁弁なども接続されているものとする。
【００１５】
サーミスタ１は、図２に示されるように、計測対象（例えば圧縮機１４の吐出配管の温度）の温度を測定するサーミスタ素子２２、サーミスタ素子２２を保護する充填樹脂２３、これらを覆う銅ケース２６、およびリード線２５を有して構成され、サーミスタ内部の半田付け部２４は、サーミスタ素子２２とリード線２５が半田付けにより接続される部分である。
【００１６】
図１において、制御装置１１０は、主たる構成として、温度検出部２、圧力検出部９、温度変化量算出部４、温度補正部５、異常履歴記録部８０、および駆動制御部８５を有して構成されている。また、異常履歴記録部８０は、異常発生回数出力部６、温度履歴データ生成部７、および記録部８を有して構成されており、駆動制御部８５は、機器制御部１０、圧縮機駆動部１２、および送風機駆動部１３を有して構成されている。
【００１７】
温度検出部２は、サーミスタ１からの信号１ａを一定のサンプリング周期ｎ毎にサンプリングして温度データ２ａに変換する。図３に示される温度Ｔｔ０、Ｔｔ１、・・・Ｔｔａ（ａは１以上の整数）は、温度検出部２で生成されたサンプリング周期ｎ毎の温度データ２ａの一例である。圧力検出部９も同様に、圧力センサ３からの信号３ａを一定のサンプリング周期ｎ毎にサンプリングして圧力データ９ａに変換する。
【００１８】
温度変化量算出部４は、温度検出部２からの温度データ２ａに基づいて、サンプリング周期ｎより長い周期である温度差検出周期Ｎ毎の温度変化量Δｔを求める。温度変化量Δｔは、例えば、所定の時刻ｔ０に計測された温度Ｔｔ０と、所定時刻ｔ０から温度差検出周期Ｎが経過したときの時刻ｔａにおける温度Ｔｔａとの差分値である。
【００１９】
温度補正部５は、温度変化量算出部４から出力された負の温度変化量Δｔの絶対値が所定値Ｘ［℃］以上であるか否かを判別し、所定値Ｘ以上のとき、負の温度変化量Δｔの絶対値が所定値Ｘ未満の値となるように、温度変化量Δｔが算出されたときの温度（例えば温度Ｔｔａ）を下記（１）式に従って補正し、補正された温度Ｔｔａ’を生成する。
Ｔｔａ’[℃]=Ｔｔａ[℃]−（Ｔｔａ[℃]−Ｔｔ０[℃]）・・・（１）
【００２０】
所定値Ｘとしては、機器制御部１０が圧縮機等の保護制御動作中にサーミスタ異常が発生した場合でもサーミスタ異常に起因する温度変化量Δｔによって制御動作が停止されることを防止するため、例えば、保護制御動作中に想定される温度の上限値に設定される。
【００２１】
異常発生回数出力部６は、温度補正部５からの温度Ｔｔａ’が検出される毎に、サーミスタ１における異常発生の回数を表す異常発生回数ｂ１を１インクリメント（ｂ１＝ｂ１＋１）し、変更後の異常発生回数ｂ１を温度履歴データ生成部７へ出力する。
【００２２】
温度履歴データ生成部７には、温度データ２ａ、温度Ｔｔａ’、および異常発生回数ｂ１が取り込まれる。温度履歴データ生成部７では、例えば温度Ｔｔａ’が検出された時点における温度データ２ａを時刻と対応付けた異常履歴データ７ａが生成され、あるいは、温度Ｔｔａ’が検出された時点における温度データ２ａおよび異常発生回数ｂ１を時刻と対応付けた異常履歴データ７ａが生成される。生成された異常履歴データ７ａは、記録部８に記録される。温度データ２ａおよび異常発生回数ｂ１を時刻と対応付けて記録することによって、サービス対応時において、異常履歴データ７ａの信憑性の高低を直感的に把握することが可能となる。
【００２３】
機器制御部１０は、ヒートポンプ給湯機１００の運転状態データ（例えば温度データ２ａおよび圧力データ９ａ）に基づいて圧縮機等の駆動制御指令を生成して出力すると共に、ヒートポンプ給湯機１００の運転異常が発生しているかどうかを判断して異常発生時には圧縮機等の運転を停止させる。
【００２４】
具体的に説明すると、機器制御部１０で生成された駆動制御指令は、圧縮機駆動部１２および送風機駆動部１３などに入力され、圧縮機駆動部１２および送風機駆動部１３は、機器制御部１０からの駆動制御指令に基づいて圧縮機１４および送風機１５を駆動させる。ここで、例えば温度データ２ａが異常な値を示し、かつ、温度補正部５からの温度Ｔｔａ’が検出された場合、機器制御部１０では、サーミスタ異常と判断され駆動制御指令の生成が継続される。その結果、ヒートポンプ給湯機１００の運転が継続される。
【００２５】
一方、温度データ２ａが異常な値を示し、かつ、温度Ｔｔａ’が検出されない場合、機器制御部１０ではサーミスタ異常以外の要因による温度異常と判断され、駆動制御指令の生成が停止される。その結果、ヒートポンプ給湯機１００の運転が停止される。なお、機器制御部１０の異常判定に用いられるデータは、温度データ２ａおよび圧力データ９ａに限定されるものではなく、例えば図示しない膨張弁の開度変化や運転開始からの経過時間などの運転状態データも考慮される。
【００２６】
図４を用いて制御装置１１０の動作を説明する。制御装置１１０では、温度データ２ａに基づいて温度差検出周期Ｎ毎の温度変化量Δｔが求められる（ステップＳ１）。負の温度変化量Δｔの絶対値が所定値Ｘ以上のとき（ステップＳ２,Ｙｅｓ）、この絶対値が所定値Ｘ未満の値となるように温度Ｔｔａが補正され、補正された温度Ｔｔａ’が生成される（ステップＳ３）。なお、この絶対値が所定値Ｘ未満の場合（ステップＳ２,Ｎｏ）、制御装置１１０では、ステップＳ１、Ｓ２の処理が繰り返される。
【００２７】
また、制御装置１１０では、温度Ｔｔａ’が検出されたとき、異常発生回数ｂ１が１インクリメントされる（ステップＳ４）。変更後の異常発生回数ｂ１は、温度Ｔｔａ’が生成された時点における温度データ２ａおよび時刻と対応付けられて異常履歴データ７ａが生成される（ステップＳ５）。そして生成された異常履歴データ７ａは、記録部８に記録される（ステップＳ６）。
【００２８】
また、制御装置１１０では、温度Ｔｔａ’が検出されたとき（ステップＳ７,Ｙｅｓ）、ヒートポンプ給湯機１００の運転が継続され（ステップＳ８）、運転異常が検出され、かつ、温度Ｔｔａ’が検出されないとき（ステップＳ７,Ｎｏ）、ヒートポンプ給湯機１００の運転が停止される（ステップＳ９）。
【００２９】
以上のように、実施の形態１にかかるヒートポンプ給湯機１００は、温度センサ（サーミスタ１）で計測された温度信号（信号１ａ）を一定周期でサンプリングした温度データ２ａに基づいて、一定周期（サンプリング周期ｎ）より長い周期（温度差検出周期Ｎ）で単位時間当たりの温度変化量Δｔを算出する温度変化量算出部４と、温度変化量算出部４から出力された負の温度変化量Δｔの絶対値が所定値Ｘ以上のとき、この絶対値が所定値Ｘ未満の値となるように温度変化量Δｔが算出された時点における第一の温度（温度Ｔｔａ）を補正し、補正された第二の温度（温度Ｔｔａ’）を生成して出力する温度補正部５と、温度補正部５からの第二の温度Ｔｔａ’を検出する毎に、サーミスタ１の異常発生回数を増加させるように変更し、第二の温度Ｔｔａ’が検出された時点における温度データ２ａと変更された異常発生回数ｂ１とを対応付けた異常履歴を記録する異常履歴記録部８０と、温度データ２ａを含む運転状態データに基づいて圧縮機１４を含む機器群の駆動を制御（停止あるいは継続）すると共に、温度補正部５からの第二の温度Ｔｔａ’を検出しているときには機器群の駆動を継続させる駆動制御部８５と、を備えるようにしたので、サーミスタ１で計測された低下傾向にある温度変化量Δｔの絶対値が所定値Ｘ以上のときのサーミスタ異常の履歴が記録され、かつ、ヒートポンプ給湯機１００の運転制御が継続される。従って、機器制御部１０が圧縮機等の保護制御動作中にサーミスタ異常が発生した場合でも、圧縮機等の保護制御動作などが停止されることがなく、サービス対応時の効率化を図ることが可能である。
【００３０】
実施の形態２．
図５は、本発明の実施の形態２にかかるヒートポンプ給湯機２００の制御装置２１０の構成図であり、図６は、実施の形態２にかかるヒートポンプ給湯機２００の動作を説明するためのフローチャートである。以下、実施の形態１と同一部分には同一符号を付してその説明を省略し、ここでは異なる部分についてのみ述べる。
【００３１】
図５に示される制御装置２１０は、主たる構成として、温度検出部２、圧力検出部９、温度変化量算出部４、温度補正部５０、異常履歴記録部８１、比較部９０、および駆動制御部８６を有して構成されている。また、異常履歴記録部８１は、第一の異常発生回数出力部６１、第二の異常発生回数出力部６２、温度履歴データ生成部７０、および記録部８を有して構成されており、駆動制御部８６は、機器制御部１１、圧縮機駆動部１２、および送風機駆動部１３を有して構成されている。
【００３２】
実施の形態１の制御装置１１０との相違点は、温度補正部５、異常発生回数出力部６、温度履歴データ生成部７０、および機器制御部１０の代わりに、温度補正部５０、第一の異常発生回数出力部６１、温度履歴データ生成部７０、機器制御部１１が設けられ、温度補正部５０と機器制御部１１との間に第二の異常発生回数出力部６２が設けられ、第一の異常発生回数出力部６１と機器制御部１１との間に比較部９０が設けられている点である。
【００３３】
温度補正部５０では、温度変化量算出部４から出力された負の温度変化量Δｔの絶対値が所定値Ｘ以上であるか否かが判断されると共に、この所定値Ｘ以上の温度変化量Δｔの絶対値が、所定値Ｘより大きい所定値Ｙ［℃］以上であるか否かが判定される。また、温度補正部５０は、負の温度変化量Δｔの絶対値が所定値Ｘ以上、かつ、所定値Ｙ未満のとき、この絶対値が所定値Ｘ未満の値となるように、この温度変化量Δｔが算出されたときの温度（例えば温度Ｔｔａ）を、上記（１）式に従って補正し、補正された温度Ｔｔａ’を生成する。
【００３４】
また、温度補正部５０は、負の温度変化量Δｔの絶対値が所定値Ｘ以上、かつ、所定値Ｙ以上のとき、この温度変化量Δｔが算出されたときの温度Ｔｔａを補正することなく第二の異常発生回数出力部６２へ出力する。
【００３５】
所定値Ｙとしては、上述した二次的な機器異常を抑制するため、例えば過負荷運転時に想定される温度の下限値が設定される。所定値Ｙをこのような値に設定することによって、負の温度変化量Δｔの絶対値が所定値Ｙを超えた時、温度補正部５０からの温度Ｔｔａが機器制御部１１に取り込まれ、ヒートポンプ給湯機２００の過負荷運転が抑制される。
【００３６】
第一の異常発生回数出力部６１は、温度補正部５０からの温度Ｔｔａ’が検出される毎に、サーミスタ１で異常が発生したことを表す異常発生回数ｂ１を１インクリメント（ｂ１＝ｂ１＋１）し、変更後の異常発生回数ｂ１を温度履歴データ生成部７０へ出力する。
【００３７】
比較部９０は、第一の異常発生回数出力部６１からの異常発生回数ｂ１と予め設定された所定回数Ｚとの比較が行われ、異常発生回数ｂ１が所定回数Ｚを未満の場合には、温度補正部５０からの温度Ｔｔａ’を機器制御部１１へ出力し、異常発生回数ｂ１が所定回数Ｚを超えている場合には、例えば第二の異常発生回数出力部６２に入力される温度Ｔｔａと同等の値の温度Ｔｔａ”を出力する。
【００３８】
具体的に説明する。補正された温度Ｔｔａ’の生成回数（すなわち異常発生回数ｂ１）が比較的多い場合、サーミスタ１が正確な温度を計測することができない程度まで半田クラックが進行している可能性が高く、このような状態でヒートポンプ給湯機２００の運転が継続された場合には、負の温度変化量Δｔの絶対値が所定値Ｙを超えていなくとも過負荷運転による二次的な機器異常が引き起こされる可能性がある。そこで、比較部９０は、異常発生回数ｂ１が所定回数Ｚ以下の場合には機器制御部１１へ温度Ｔｔａ’を出力するが、異常発生回数ｂ１が所定回数Ｚを超える場合には、過負荷運転を予備的に防止するため、温度Ｔｔａと同等の値の温度Ｔｔａ”を出力するように構成されている。
【００３９】
第二の異常発生回数出力部６２は、温度補正部５０からの温度Ｔｔａが検出されたとき、異常発生回数ｂ２を１インクリメント（ｂ２＝ｂ２＋１）すると共に、温度Ｔｔａを機器制御部１１へ出力する。
【００４０】
温度履歴データ生成部７０では、温度検出部２からの温度データ２ａ、温度補正部５０からの温度Ｔｔａ’、第一の異常発生回数出力部６１からの異常発生回数ｂ１、および第二の異常発生回数出力部６２からの異常発生回数ｂ２が取り込まれる。温度履歴データ生成部７０では、温度Ｔｔａ’が取り込まれた時点における温度データ２ａを時刻と対応付けた異常履歴データ７ａが生成され、あるいは、温度履歴データ生成部７０では、温度Ｔｔａ’が取り込まれた時点における温度データ２ａ、異常発生回数ｂ１、および異常発生回数ｂ２を時刻と対応付けた異常履歴データ７ａが生成される。生成された異常履歴データ７ａは、記録部８に記録される。
【００４１】
温度データ２ａおよび異常発生回数ｂ１（または異常発生回数ｂ２）を時刻と対応付けて記録することによって、サービス対応時において、異常履歴データ７ａの信憑性の高低を直感的に把握することが可能となる。また、温度データ２ａ、異常発生回数ｂ１、および異常発生回数ｂ２を時刻と対応付けて記録することによって、サービス対応時におけるサーミスタ異常履歴データ７ａの信憑性をより高めることが可能となる。
【００４２】
機器制御部１１は、ヒートポンプ給湯機２００の運転状態データ（例えば温度データ２ａおよび圧力データ９ａ）に基づいて圧縮機等の駆動制御指令を生成して出力すると共に、ヒートポンプ給湯機２００の運転異常が発生しているかどうかを判断して異常発生時には圧縮機等の運転を停止させる。
【００４３】
具体的に説明すると、機器制御部１１で生成された駆動制御指令は、圧縮機駆動部１２および送風機駆動部１３などに入力され、圧縮機駆動部１２および送風機駆動部１３は、機器制御部１１からの駆動制御指令に基づいて圧縮機１４および送風機１５を駆動させる。ここで、例えば温度データ２ａが異常な値を示し、かつ、温度補正部５０からの温度Ｔｔａ’が検出された場合、機器制御部１１では、実施の形態１と同様に、ヒートポンプ給湯機２００の運転異常ではなくサーミスタ異常と判断され、駆動制御指令の生成が継続される。その結果、ヒートポンプ給湯機２００の運転が継続される。
【００４４】
また、温度データ２ａが異常な値を示し、かつ、温度Ｔｔａ’が検出されない場合（すなわち温度Ｔｔａまたは温度Ｔｔａ”が検出された場合）、機器制御部１１では、過負荷運転を防止するため駆動制御指令の生成が停止される。その結果、ヒートポンプ給湯機２００の運転が停止される。
【００４５】
図６を用いて制御装置２１０の動作を説明する。温度変化量算出部４では、温度データ２ａに基づいて温度差検出周期Ｎ毎の温度変化量Δｔが求められ（ステップＳ２１）、負の温度変化量Δｔの絶対値が所定値Ｘ以上のとき（ステップＳ２２,Ｙｅｓ）、この絶対値が所定値Ｙ以上であるか否かが判断される。なお、負の温度変化量Δｔの絶対値が所定値Ｘ未満の場合（ステップＳ２２,Ｎｏ）、ステップＳ２１、Ｓ２２の処理が繰り返される。
【００４６】
負の温度変化量Δｔの絶対値が所定値Ｙ以上のとき（ステップＳ２３,Ｙｅｓ）、異常発生回数ｂ２が１インクリメントされ（ステップＳ２４）、かつ、ヒートポンプ給湯機２００の運転が停止される（ステップＳ２５）。
【００４７】
一方、負の温度変化量Δｔの絶対値が所定値Ｙ未満のとき（ステップＳ２３,Ｎｏ）、この絶対値が所定値Ｘ未満の値となるように温度Ｔｔａが補正され、補正された温度Ｔｔａ’が生成される（ステップＳ２６）。温度Ｔｔａ’が生成されたとき異常発生回数ｂ１が１インクリメントされ（ステップＳ２７）、異常履歴データ７ａが生成される（ステップＳ２８）。そして生成された異常履歴データ７ａは、記録部８に記録される（ステップＳ２９）。
【００４８】
異常発生回数ｂ１が所定回数Ｚを超えたとき（ステップＳ３０,Ｙｅｓ）、ヒートポンプ給湯機２００の運転が停止され（ステップＳ２５）、異常発生回数ｂ１が所定回数Ｚ以下のとき（ステップＳ３０,Ｎｏ）、ヒートポンプ給湯機２００の運転が継続される（ステップＳ３１）。
【００４９】
なお、実施の形態２の駆動制御部８６は、温度補正部５０からの温度Ｔｔａが第二の異常発生回数出力部６２を介して機器制御部１１に取り込まれるように構成されているが、温度補正部５０からの温度Ｔｔａが第二の異常発生回数出力部６２を返さずに機器制御部１１へ取り込まれるように構成してもよい。このように構成した場合、記録部８には温度Ｔｔａに関する異常履歴データ７ａが記録されないが、過負荷運転を防止するためにヒートポンプ給湯機２００の運転を停止させることは可能である。
【００５０】
以上に説明したように、実施の形態２にかかる制御装置２１０の温度補正部５０は、所定値Ｘを第一の所定値として、前記絶対値がこの第一の所定値Ｘ以上、かつ、第一の所定値Ｘより大きい第二の所定値Ｙ未満のときには第二の温度Ｔｔａ’を生成して出力し、前記絶対値が第二の所定値Ｙ以上のときには第一の温度Ｔｔａを出力し、異常履歴記録部８１は、温度補正部５０からの第二の温度Ｔｔａ’を検出する毎に、サーミスタ１の異常発生回数を増加させるように変更して出力する第一の異常発生回数出力部６１と、温度補正部５０からの第一の温度Ｔｔａを検出する毎に、サーミスタ１の異常発生回数を増加させるように変更して出力する第二の異常発生回数出力部６２と、第一の異常発生回数出力部６１からの変更された異常発生回数ｂ１と第二の温度Ｔｔａ’が検出された時点における前記温度データ２ａとを対応付けた異常履歴データ７ａ、または、第二の異常発生回数出力部６２からの変更された異常発生回数ｂ２と第一の温度Ｔｔａが検出された時点における温度データ２ａとを対応付けた異常履歴データ７ａを生成して、記録部８に記録させる温度履歴データ生成部７０と、を有するようにしたので、実施の形態１の効果に加えて、記録部８に記録される異常履歴データ７ａの信憑性をより高めることができ、サービス対応時の効率化をより高めることが可能である。
【００５１】
また、実施の形態２にかかる駆動制御部８６は、温度補正部５０からの第一の温度Ｔｔａを検出したとき機器群の駆動を停止させるようにしたので、ヒートポンプ給湯機２００の過負荷運転を抑制することが可能である。
【００５２】
実施の形態２にかかる制御装置２１０は、第一の異常発生回数出力部６１からの異常発生回数ｂ１が所定回数Ｚを超えているとき第一の温度Ｔｔａと同等の温度Ｔｔａ”を出力する温度出力部（比較部９０）を備え、駆動制御部８６は、比較部９０からの温度Ｔｔａ”を検出したとき機器群の駆動を停止させることようにしたので、ヒートポンプ給湯機２００の過負荷運転を予備的に防止することが可能である。
【００５３】
また、実施の形態２にかかる温度補正部５０は、ヒートポンプ給湯機２００の保護制御動作中に想定される温度変化の最大値を第一の所定値（所定値Ｘ）として設定し、サーミスタ１の異常に起因したヒートポンプ給湯機２００の過負荷運転時に想定される温度変化の最小値を第二の所定値（所定値Ｙ）として設定するようにしたので、実施の形態１の効果に加えて、圧縮機等の保護制御動作がサーミスタ異常に起因して停止されることを防止し、かつ、過負荷運転による二次的な機器異常を防止することができる。
【００５４】
なお、本発明の実施の形態１、２にかかるヒートポンプ給湯機の制御装置は、本発明の内容の一例を示すものであり、更なる別の公知の技術と組み合わせることも可能であるし、本発明の要旨を逸脱しない範囲で、一部を省略するなど、変更して構成することも可能であることは無論である。
【産業上の利用可能性】
【００５５】
以上のように、本発明は、ヒートポンプ給湯機の制御装置に適用可能であり、特に、サーミスタ異常に起因した二次的な機器異常が引き起こされる可能性を抑制し、かつ、サービス対応の効率化を図ることが可能な発明として有用である。
【符号の説明】
【００５６】
１  サーミスタ（温度センサ）
１ａ、３ａ  信号
２  温度検出部
２ａ  温度データ
３  圧力センサ
４  温度変化量算出部
５、５０  温度補正部
６  異常発生回数出力部
７、７０  温度履歴データ生成部
７ａ  異常履歴データ
９  圧力検出部
９ａ  圧力データ
１０、１１  機器制御部
１２  圧縮機駆動部
１３  送風機駆動部
１４  圧縮機
１５  送風機
２２  サーミスタ素子
２３  充填樹脂
２４  半田付け部
２５  リード線
６１  第一の異常発生回数出力部
６２  第二の異常発生回数出力部
８０、８１  異常履歴記録部
８５、８６  駆動制御部
９０  比較部（温度出力部）
１００、２００  ヒートポンプ給湯機
１１０、２１０  制御装置
ｂ１、ｂ２  異常発生回数
Ｔｔａ  温度（第一の温度）
Ｔｔａ’  温度（第二の温度）
Ｘ  所定値（第一の所定値）
Ｙ  所定値（第二の所定値）
Ｚ  所定回数
【図１】
0005901366.tif 000002
【図２】
0005901366.tif 000003
【図３】
0005901366.tif 000004
【図４】
0005901366.tif 000005
【図５】
0005901366.tif 000006
【図６】
0005901366.tif 000007